(57)【要約】      （修正有）【課題】通信ネットワークに接続された各ユーザーの情報機器により各方面の卸売会社等から間接副資材又は工場用品の関連データに基づき適正に購入できると共に併せて電子認証手続及び電子マネーによる決済も可能にしたシステムの技術を提供する。【解決手段】各メーカー５は完成品又は半製品等種々の形態で間接副資材又は工場用品に係る一切の製品を生産しており、当該間接副資材、工場用品又はその部品に係る情報を卸売会社７から得て各ユーザー１０、特にエンドユーザーの発注に応じて当該間接副資材、工場用品やその部品及び商品カタログに係る情報等を販売会社８やサーバーから受けると共に間接副資材、工場用品やその部品に関し商品履歴データや商品選定判断基準をデータとして保存するデータベースを上記卸売会社７又は販売会社８等に有しており、ネットワーク９に各ユーザー１０、サーバー及び決済サーバーを接続している。【選択図】図１
2006092059.tif 000002
【特許請求の範囲】
【請求項１】
複数社又は多数社のメーカーから提供された部品又は工場用品若しくは生産材を含む間接副資材の商品履歴データ情報及び商品選定判断基準情報を受ける大規模総合商社（卸売会社）と、該大規模総合商社（卸売会社）から提供された部品又は工場用品若しくは生産材を含む間接副資材の商品履歴データ情報及び商品選定判断基準情報を加工又は解析かつ蓄積してデータベース化すると共にこれを保存する販売代理店又は販売会社と、該販売代理店又は販売会社から提供された部品を含む間接副資材の商品履歴データ情報及び商品選定判断基準情報をネットワークを介して発注情報として受信するユーザーと、中小企業を含む前記メーカー、前記販売代理店（販売会社）又は前記大規模総合商社（卸売会社）に備えたＩＣタグの情報を伝送するリーダライタと、該リーダライタによって前記間接副資材のＩＤを読み出しこれを受信しかつ認証情報を格納したＩＣカードによる認証手続を行なう上記ネットワークに接続されたサーバーと、前記ユーザーの電子マネーデータベースを有して上記ネットワークに接続し、かつ該部品又は工場用品若しくは生産材を含む間接副資材の支払い決済を行なう決済サーバーとでなることを特徴とする間接副資材のデータ管理・電子認証及び決済システム。
【請求項２】
複数社又は多数社のメーカーから提供された部品又は工場用品若しくは生産材を含む間接副資材の商品履歴データ情報及び商品選定判断基準情報を受ける大規模総合商社（卸売会社）と、該大規模総合商社（卸売会社）から提供された部品又は工場用品若しくは生産材を含む間接副資材の商品履歴データ情報及び商品選定判断基準情報を加工又は解析かつ蓄積してデータベース化すると共にこれを保存する販売代理店又は販売会社と、該販売代理店又は販売会社から提供された部品を含む間接副資材の商品履歴データ情報及び商品選定判断基準情報をネットワークを介して発注情報として受信するユーザーと、中小企業を含む前記メーカー、前記販売代理店（販売会社）又は前記大規模総合商社（卸売会社）に備えたＩＣタグの情報を伝送するリーダライタと、該リーダライタによって前記部品又は工場用品若しくは生産材を含む間接副資材の商品カタログ情報又は前記間接副資材のＩＤを読み出しこれを受信しかつ認証情報を格納したＩＣカードによる認証手続及び商品データ管理を行なう上記ネットワークに接続されたサーバーと、前記ユーザーの電子マネーデータベースを有して上記ネットワークに接続し、かつ該部品又は工場用品若しくは生産材を含む間接副資材の支払い決済を行なう決済サーバーとでなることを特徴とする間接副資材のデータ管理・電子認証及び決済システム。
【請求項３】
前記サーバーが、前記決済サーバーを備えたことを特徴とする請求項１又は２記載の間接副資材のデータ管理・電子認証及び決済システム。
【発明の詳細な説明】
【技術分野】
【０００１】
本発明は、通信ネットワークに接続された各ユーザーの情報機器により簡易な手段でもって各方面に蓄積されたデータ等から間接副資材の商品履歴データ情報や商品選定判断基準情報を取込み、適正に選定しかつ発注できると共に購入した間接副資材の電子証明及び購入に関しての電子証明、電子マネー決済を可能ならしめる間接副資材のデータ管理・電子認証及び決済システムに関するものである。
【背景技術】
【０００２】
従来、この種の商品の受発注システムとしては、特開平１１−３９３９６号公開特許公報に開示した技術がある。これについて図７に基づき説明すれば、商品の発注をするためのユーザーとしての発注クライアント１、商品の発注を受けるメーカーとしての受注クライアント２及び商品の発注状況を登録するデータベースサーバ３はインターネット回線４を介して相互に接続しており、当該データベースサーバ３では、当該商品の発注に関する発注データの登録及び登録されている発注データの提供を受けることがＷＷＷ（Ｗｏｒｌｄ  Ｗｉｄｅ  Ｗｅｂ）上で検索可能であり、ユーザーとしての該発注クライアント１及びメーカーとしての受注クライアント２との間では電子メールの送受信が可能となるように構成されている。
【０００３】
そして、発注端末からデータベース端末への発注データの登録を上記ＷＷＷ上で行なうようにし、該発注端末及び受注端末間では電子メールの送受信を可能とする。そして、該発注端末で商品等の発注をしようとするときは、ＷＷＷブラウザを利用して、データベース端末から与えられた発注データ登録用のＨＴＭＬファイルに登録事項を記述し、かつこのＨＴＭＬファイルをデータベース端末に送信すると共に該発注データ登録用のＨＴＭＬファイルを電子メールに添付して受注端末に送信する。これによりメーカーとしての受注クライアント２は受注状況が明確化する。
【特許文献１】特開平１１−３９３９６号公開特許公報
【発明の開示】
【発明が解決しようとする課題】
【０００４】
上述した従来に於ける商品の受発注システムはユーザー側の発注クライアント１が当該商品を購入する際、その商品の仕様や希望価格等を検討したうえでインターネット回線４を経由して、多数社存在するメーカーとしての受注クライアント２やその他当該商品を取扱う販売会社又はその代理店等に電子メール等で買入れを申し込むものであった。
然るに、これの検索作業に手間を要すると共に適切な受注クライアント２から適切な価格、品質、性能又は機能を備えた商品を選定すること及び商品カタログデータをリアルタイムに入手することは困難を極める上に買入れた後に他の受注クライアント２の商品情報等により当該商品が不適切であることが判明し、再買入れしなければならないという問題点があった。
【０００５】
又一方、受注クライアント２側としても当該発注された商品のピッキング作業に手間がかかり全体としても各社又はユーザーの取扱う製品やその基準が不揃いであり、該受注クライアント２の業界全体として統一されておらず多方面に渉る発注クライアント１つまりユーザーのあらゆる要求を満足する商品を迅速に提供することは現実的不可能であるという問題点があった。
【０００６】
そして、従来の商品の受発注システムでは、パソコンに於いて、その電子調達Ｗｅｂサイトで間接副資材等の商品履歴データを取出しかつ蓄積することやクライアント等のバイヤーが間接副資材等を選定する際のランク付等の判断基準データがなく不便であった。さらに、当該間接副資材等の受発注システム、電子認証手続や電子マネー決済手続が存在しないという問題点があった。
【０００７】
特に、上述した従来の商品受発注システムは、その取扱い商品については、例えば、一般的な商品であるパソコン機器やそれに関連するサービスに係るものであって、特殊な生産材を含む生産補助材、作業工具又は雑工具等の間接副資材や工場用品の提供に伴うシステムに適用できないという問題点があった。
【課題を解決するための手段】
【０００８】
本発明に係る間接副資材のデータ管理・電子認証及び決済システムは、ユーザーからネットワークを利用して簡易なシステムでもって特殊な生産材を含む生産補助材、作業工具等の間接副資材や工場用品を広範囲のデータ群の中から選定でき、パソコンに於ける電子調達Ｗｅｂサイトで該間接副資材等の履歴データや商品選定判断基準データ又は商品カタログデータ等をインターネットに接続されたサーバー等から取出しかつ蓄積することにより該間接副資材等を迅速に調達することができ併せて電子認証及び決済を行なうシステムを提供することを目的としたものであって、次の構成、手段から成立する。
【０００９】
請求項１記載の発明によれば、複数社又は多数社のメーカーから提供された部品又は工場用品若しくは生産材を含む間接副資材の商品履歴データ情報及び商品選定判断基準情報を受ける大規模総合商社（卸売会社）と、該大規模総合商社（卸売会社）から提供された部品又は工場用品若しくは生産材を含む間接副資材の商品履歴データ情報及び商品選定判断基準情報を加工又は解析かつ蓄積してデータベース化すると共にこれを保存する販売代理店又は販売会社と、該販売代理店又は販売会社から提供された部品を含む間接副資材の商品履歴データ情報及び商品選定判断基準情報をネットワークを介して発注情報として受信するユーザーと、中小企業を含む前記メーカー、前記販売代理店（販売会社）又は前記大規模総合商社（卸売会社）に備えたＩＣタグの情報を伝送するリーダライタと、該リーダライタによって前記間接副資材のＩＤを読み出しこれを受信しかつ認証情報を格納したＩＣカードによる認証手続を行なう上記ネットワークに接続されたサーバーと、前記ユーザーの電子マネーデータベースを有して上記ネットワークに接続し、かつ該部品又は工場用品若しくは生産材を含む間接副資材の支払い決済を行なう決済サーバーとでなることを特徴とする。
【００１０】
請求項２記載の発明によれば、複数社又は多数社のメーカーから提供された部品又は工場用品若しくは生産材を含む間接副資材の商品履歴データ情報及び商品選定判断基準情報を受ける大規模総合商社（卸売会社）と、該大規模総合商社（卸売会社）から提供された部品又は工場用品若しくは生産材を含む間接副資材の商品履歴データ情報及び商品選定判断基準情報を加工又は解析かつ蓄積してデータベース化すると共にこれを保存する販売代理店又は販売会社と、該販売代理店又は販売会社から提供された部品を含む間接副資材の商品履歴データ情報及び商品選定判断基準情報をネットワークを介して発注情報として受信するユーザーと、中小企業を含む前記メーカー、前記販売代理店（販売会社）又は前記大規模総合商社（卸売会社）に備えたＩＣタグの情報を伝送するリーダライタと、該リーダライタによって前記部品又は工場用品若しくは生産材を含む間接副資材の商品カタログ情報又は前記間接副資材のＩＤを読み出しこれを受信しかつ認証情報を格納したＩＣカードによる認証手続及び商品データ管理を行なう上記ネットワークに接続されたサーバーと、前記ユーザーの電子マネーデータベースを有して上記ネットワークに接続し、かつ該部品又は工場用品若しくは生産材を含む間接副資材の支払い決済を行なう決済サーバーとでなることを特徴とする。
【００１１】
請求項３記載の発明によれば、請求項１又は２記載の間接副資材のデータ管理・電子認証及び決済システムであって、前記サーバーが、前記決済サーバーを備えたことを特徴とする。
【発明の効果】
【００１２】
本発明に係る間接副資材のデータ管理・電子認証及び決済システムは、上述の構成を有するので次の効果がある。
【００１３】
請求項１記載の発明によれば、複数社又は多数社のメーカーから提供された部品又は工場用品若しくは生産材を含む間接副資材の商品履歴データ情報及び商品選定判断基準情報を受ける大規模総合商社（卸売会社）と、該大規模総合商社（卸売会社）から提供された部品又は工場用品若しくは生産材を含む間接副資材の商品履歴データ情報及び商品選定判断基準情報を加工又は解析かつ蓄積してデータベース化すると共にこれを保存する販売代理店又は販売会社と、該販売代理店又は販売会社から提供された部品を含む間接副資材の商品履歴データ情報及び商品選定判断基準情報をネットワークを介して発注情報として受信するユーザーと、中小企業を含む前記メーカー、前記販売代理店（販売会社）又は前記大規模総合商社（卸売会社）に備えたＩＣタグの情報を伝送するリーダライタと、該リーダライタによって前記間接副資材のＩＤを読み出しこれを受信しかつ認証情報を格納したＩＣカードによる認証手続を行なう上記ネットワークに接続されたサーバーと、前記ユーザーの電子マネーデータベースを有して上記ネットワークに接続し、かつ該部品又は工場用品若しくは生産材を含む間接副資材の支払い決済を行なう決済サーバーとでなることを特徴とする間接副資材のデータ管理・電子認証及び決済システムを提供する。
このような構成としたので、メーカとしての中小企業等又はユーザーはリーダライタを備えたので当該間接副資材等の入荷検品や棚卸し作業又はピッキング作業を迅速に行ない物流管理工数を大幅に削減すると共に電子マネーの決済を行なうことができるという効果がある。
【００１４】
請求項２記載の発明によれば、複数社又は多数社のメーカーから提供された部品又は工場用品若しくは生産材を含む間接副資材の商品履歴データ情報及び商品選定判断基準情報を受ける大規模総合商社（卸売会社）と、該大規模総合商社（卸売会社）から提供された部品又は工場用品若しくは生産材を含む間接副資材の商品履歴データ情報及び商品選定判断基準情報を加工又は解析かつ蓄積してデータベース化すると共にこれを保存する販売代理店又は販売会社と、該販売代理店又は販売会社から提供された部品を含む間接副資材の商品履歴データ情報及び商品選定判断基準情報をネットワークを介して発注情報として受信するユーザーと、中小企業を含む前記メーカー、前記販売代理店（販売会社）又は前記大規模総合商社（卸売会社）に備えたＩＣタグの情報を伝送するリーダライタと、該リーダライタによって前記部品又は工場用品若しくは生産材を含む間接副資材の商品カタログ情報又は前記間接副資材のＩＤを読み出しこれを受信しかつ認証情報を格納したＩＣカードによる認証手続及び商品データ管理を行なう上記ネットワークに接続されたサーバーと、前記ユーザーの電子マネーデータベースを有して上記ネットワークに接続し、かつ該部品又は工場用品若しくは生産材を含む間接副資材の支払い決済を行なう決済サーバーとでなることを特徴とする間接副資材のデータ管理・電子認証及び決済システムを提供する。
このような構成としたので、請求項１記載の発明の効果に加えて、ＩＣタグからのデータを読出し、例えば商品カタログデータ等をリアルタイムに入手し間接副資材等の商品の適否や選定を迅速にできるという効果がある。
【００１５】
請求項３記載の発明によれば、前記サーバーが、前記決済サーバーを備えたことを特徴とする請求項１又は２記載の間接副資材のデータ管理・電子認証及び決済システムを提供する。
このような構成としたので、サーバーの中に決済サーバー機能を備え、単一のサーバーを構築し、システムの簡素化を図ることができるという効果がある。
【発明を実施するための最良の形態】
【００１６】
以下、本発明に係る間接副資材のデータ管理・電子認証及び決済システムに於ける実施の形態について添付図面に基づき詳細に説明する。
【００１７】
図１は、間接副資材のデータ管理・電子認証及び決済システムの一部構成としての間接副資材のデータ管理システムの全体構成を示す図である。本発明は、生産補助材、生産材又は工場用品としてのドライバ又はペンチ等の作業工具や雑工具等間接副資材の販売や受発注及びその管理形態に係るものであり、各ユーザーが各販売代理店又は各販売会社の販売システムにネットワークを介してアクセスし、各該販売会社等が提供する例えば、ユーザインターフェスを使用して、商品履歴データや商品選定判断基準データ、つまりいわゆる「目利きのデジタル化」の商品ランク付情報で上記間接副資材を購入するものである。この発明の一つの実施の形態としては、当該各販売会社等と各ユーザーすなわちバイヤーとの間で間接副資材やその部品の販売案件が発生した際に、該各販売会社の受注システムと各ユーザーの発注システムの間でやり取りする通信フォーマットに関するものである。
尚、上記工場用品としては、作業用工具、作業用治具、電動工具、エアーツール、パレット、重油・灯油又はクリーンルーム用品等が含まれる。
【００１８】
５は、Ａ社５Ａ、Ｂ社５Ｂ、Ｃ社５Ｃ、Ｄ社５Ｄ、Ｅ社５Ｅ及びＦ社５Ｆから構成される中小企業を含む各メーカー又はサプライヤーであって、間接副資材やその部品又は工場用品等を生産し、これを販売する会社等である。
当該各メーカー５は例えば図２に示す、ＩＣリーダ１０４又は図４に示すリーダライタ１４等を備えており、完成品又は半製品等種々の形態で当該間接副資材に係る一切の製品を生産するものであって、下請会社もこれに包含する。
【００１９】
６は、上記各メーカー５が生産する間接副資材やその部品に関し商品履歴や商品選定判断基準をデータとして保存するデータベースであり、上記各メーカー５が取扱う各社、各種の膨大な情報に基づき、これを加工し、分析かつ解析し情報として蓄積データ及びいわゆる目利きのデジタル化データとして保存している。従って、間接副資材や工場用品等の新製品を新規に生産すれば、新規の商品履歴データ等として新たに蓄積加工される。
【００２０】
７は、間接副資材やその部品に係る製品を各メーカー５から依頼を受けて取扱う大規模総合商社、つまり卸売会社であって、例えば「アズワン」「日伝」「山善」等である。該大規模総合商社７は上記データベース６から、例えば、各種市販されているパソコン等の情報機器やＰＤＡ（情報端末器）又は携帯電話等でリアルタイムに各メーカー５から生産された新製品を含む各種の間接副資材又はその部品や工場用品等の商品履歴データ又は商品選定判断基準データの情報を入手する。
【００２１】
尚、上記データベース６は各メーカー５側で商品履歴等のデータを作成し、処理し加工する場合、該メーカー５側に備えているが、上記大規模総合商社７すなわち卸売会社側で各メーカー５からの製品情報を得て、これを加工、処理及び蓄積して各大規模総合商社７に備えてもよい。当該データベース６の重要性や本システムの効率化又は保存管理の便宜性から第三者機関やサーバーに設置してもよい。そして、この設置場所はデータの加工や解析又は蓄積作業等の合理性や便宜性及び安全性の見地から決定する。
【００２２】
８は、当該間接副資材又はその部品に係る情報を大規模総合商社７つまり卸売会社から得て各ユーザー１０、特にバイヤー、エンドユーザーの発注に応じて当該間接副資材やその部品又は工場用品等を販売する小売店、販売代理店や販売会社であって、例えば、Ａ社８ＡからＤ社８Ｄの４社すなわち複数社がある。該販売会社８等は独自のシステムを構築し、ネットワーク９を介して各ユーザー１０に接続している。該ユーザー１０は例えば、バイヤーであってもよく、Ａ社１０Ａ、Ｂ社１０Ｂ、Ｃ社１０Ｃ、Ｄ社１０Ｄの４社を挙げたがこれに限定されず多数社が加わるものとする。
【００２３】
而して、上記ユーザー１０の各社Ａ社１０Ａ、Ｂ社１０Ｂ、Ｃ社１０Ｃ、Ｄ社１０Ｄのいずれかの各社は例えば、小型ペンチや把手部の径廻りが大きいプラスドライバー等の作業工具に於いて、その商品履歴データや商品選定判断基準データに基づき所定の間接副資材を購入する場合、自前の簡易型情報機器又はＰＤＡ（情報端末器）若しくは図２及び図４に示すＩＣリーダ１０４、リーダライタ１４を備えており、これらを操作しネットワーク９を介して販売代理店又は販売会社８のデータベースを共有化した情報機器に当該発注信号を送信する。これにより販売代理店又は該販売会社８はこの発注信号を下に、受信の旨を前記ユーザー１０の各社１０ＡないしＤ社１０Ｄの発注該当企業すなわちバイヤー又はエンドユーザーに伝達すると共に、該発注企業、つまりユーザー１０へ所定のランク付を保有した商品履歴を有する小型ペンチ等の上記作業工具を納品する。このように多種多量な発注企業の商品関連データに基づく要望にも迅速にリアルタイムに取引を実現する作用を奏する。
尚、本発明では、図１に示すシステム構成に於いて、そのネットワーク９に図４に示すサーバー１１及び決済サーバー１６を接続する。
【００２４】
次に、図２に基づき、図１に示す間接副資材のデータ管理システムの具体的な内部構成について説明する。
【００２５】
図２は例えば、ユーザー１０の各社のうちＡ社１０Ａに備えた情報機器等のデータ管理システムの一例を示し、また、販売代理店又は販売会社８の各社のうちＡ社８Ａに備えた情報機器等のデータ管理システムの一例を示すものであって、ネットワーク９を介して、互いに交信し、間接副資材や工場用品又はその部品の商取引を成立させる構成となっている。
【００２６】
上記ユーザー１０のＡ社１０Ａは、エンドユーザーでバイヤーも含んでおり、例えば、間接副資材や工場用品、生産材は、その部品を受注企業である販売代理店又は販売会社に発注するための自前のシステムを備えている。
該発注システムは、例えば、情報機器又は携帯情報端末（ＰＤＡ）でなるユーザー端末１０１、該ユーザー端末１０１の表示装置１０２、入力装置１０３、及びＩＣリーダ１０４又はＩＣライターで構成されている。そしてこの発注システムはＡ社１０Ａ以外の各社Ｂ社１０ＢないしＤ社１０Ｄの共用としてもよく、全体を単一の発注システムで構築することもできる。このＩＣリーダ１０４は、ＩＣコードアンテナより読み取られた間接副資材や工場用品又はその部品に係るＩＣコード番号をホスト装置に伝達するための機器である。そして、該ＩＣリーダ１０４は、図３（ａ）、（ｂ）に示すＩＣタグ１２からの情報をＩＣタグ情報取得手段として、該ユーザー１０Ａが所有する現有情報機器からＩＣタグデータを取得し、該ＩＣタグデータを用いて例えば、間接副資材の製品個体データベースつまり、安全データシート等の製品データや製造ルートを識別するロット番号、製造年月日データ等を検索することにより後述する受注企業、すなわち、販売代理店又は販売会社８Ａから間接副資材や工場用品、生産材、生産補助材又はその部品に関する種々な情報を得ることとしてもよい。
【００２７】
図１及び図２に示す上記販売代理店又は販売会社若しくは小売店８のＡ社８Ａは例えば、間接副資材や工場用品又はその部品を発注元であるユーザー１０のＡ社１０Ａに納品するため及び発注状況をリアルタイムに検出するための自前の販売会社８の受注システム８１を備えている。
そして、該販売会社８の受注システム８１は当該間接副資材や工場用品又はその部品の受注を受けるためのシステムであって、その受信信号を下に、ネットワーク９を介して、前記ユーザーＡ社１０Ａの発注システムにその旨を送信する。
【００２８】
６は、前述したデータベースであり、特に本実施例では販売代理店又は販売会社８に備えた場合を例示する。６１は、間接副資材又は工場用品の商品履歴データベース、６２は、間接副資材又は工場用品の部品の商品履歴データベース、６３は、間接副資材又は工場用品の商品ランク付データ・商品選定判断基準データ若しくはいわゆる目利きデジタル化データ等を蓄積・加工処理したデータベースであり、上記販売会社８の受注システム８１に備えている。上記各データベース６１、６２及び６３は新規な間接副資材又はその部品や工場用品が新たに加わる場合や販売を廃止する場合等に対処し、常に新規加工又は解析し更にこれを最新のデータとして蓄積している。
【００２９】
従って、発注元のユーザー１０の各社は必要とする特殊な生産材、作業工具や雑工具等の間接副資材を受注企業としての販売代理店又は販売会社若しくは小売店８の各社にネットワーク９を利用して発注すれば、その発注通信信号が、販売会社８の受注システム８１等にリアルタイムに伝送されバイヤーが希望する所定の商品履歴や所定のランクを所持した間接副資材等を速やかに該販売代理店又は販売会社８のＡ社８Ａから納品を受けることとなる。
また、上記販売会社８の受注システム８１は各データベース６１ないし６３を含む構成は複数社で共用してもよく、全体を単一の受注システムとして構築することもできる。
尚、上述したデータベース６は図１に示すように大規模総合商社７の受注システムに配設してもよい。
【００３０】
次に、図３に基づき上記間接副資材又は工場用品にＩＣタグを貼付又は添付した構成及びＩＣタグの構造を説明する。
図３（ａ）は、ＩＣタグ１２を間接副資材（工場用品を含む）１３の一部、例えば、側面等に貼付した例である。該間接副資材１３のいずれの部位に貼付してもよいが、該ＩＣタグ１２は、他の間接副資材等の接触やその他の原因又は取扱いの際の物理的外力により該間接副資材１３又は生産材等から剥離しないように貼付ける。
【００３１】
上記ＩＣタグ１２は、接触型電子タグ又は非接触型無線タグで構成され、金属層を積層した紙やプラスチック基材にアンテナ用コイルパターン１２ａを金属層にエッチング形成したＩＣチップ１２ｂを接続することにより形成できる。上記ＩＣチップ１２ｂのメモリー容量が例えば、１（Ｋｂｉｔ）であれば、１２８文字の記録が可能であり、当該間接副資材（工場用品を含む）１３の配送や在庫管理等に差支えない。上記ＩＣタグ１２に記録する事項としては、品名、品番、製造年月日、単価（売価）、特徴点や出荷数量、収納数量、配送情報、仕向先、ＩＣタグ１３自体のＩＤコードや識別コードを記載する。
【００３２】
図３（ｂ）は、ＩＣタグ１２の一例を示す平面図である。該ＩＣタグ１２は、例えば、大きさが３０（ｍｍ）×３０（ｍｍ）以下に設計され、いわゆるデータキャリアともいわれ、プラスチック等の基材１２ｃにアンテナ用コイルパターン１２ａを形成し、該アンテナ用コイルパターン１２ａと、ＩＣチップ１２ｂに内蔵されている容量素子とにより共振回路を形成し、一定周波数の電波を受信し送信できる。本発明に係るシステムの場合、例えば、１３５ＫＨｚ（中波）ないし２．４５ＧＨｚ（マイクロ波）の周波数帯が使用される。そして、アンテナ用コイルパターン１２ａは導通部材１２ｄにより、コイル接続端子１２ｅを介してＩＣチップ１２ｂに接続している。また、上記ＩＣタグ１２に記録した間接副資材（工場用品を含む）１３又は生産材、生産補助材の各種品名、ＩＤコード等の情報は後述するリーダライタが該ＩＣタグ１２に対して共振する呼出し信号を発信し、これを受信したＩＣタグ１２からの応答信号を記憶する。
【実施例】
【００３３】
次に、図４等に基づき本発明に係る間接副資材のデータ管理・電子認証及び決済システムの実施例を明らかにする。
５は、Ａ社５Ａ、Ｂ社５Ｂ、Ｃ社５Ｃ、Ｄ社５Ｄ、Ｅ社５Ｅ及びＦ社５Ｆから構成される中小企業を含む各メーカー又はサプライヤーであって、間接副資材やその部品又は工場用品等を生産し、これを販売する会社等である。当該各メーカー５は例えば図２に示す、ＩＣリーダ１０４又は図４に示すリーダライタ１４等を備えており、完成品又は半製品等種々の形態で当該間接副資材に係る一切の製品を生産するものであって、下請会社もこれに包含する。
【００３４】
上記ユーザー１０のＡ社１０Ａは、例えば、エンドユーザーであって、ここに例示するものは間接副資材又は工場用品、その部品を受注企業である販売代理店又は販売会社に発注するための自前のシステムを備えているが、本発明はこれに限定されず、少なくとも、前記ＩＣタグ１２の情報を読出すリーダライタ１４やＩＣリーダ１０４を備えている。
該発注システムは、例えば、情報機器又は携帯情報端末（ＰＤＡ）でなるユーザー端末装置１０１、該ユーザー端末装置１０１の表示装置１０２、及び入力装置１０３、及びＩＣリーダ１０４としてのリーダライタ１４、このリーダライタ１４に挿入されるＩＣカード１４Ａで構成されている。そしてこの発注システムはＡ社１０Ａ以外の各社Ｂ社１０ＢないしＤ社１０Ｄの共用としてもよく、全体を単一の発注システムで構築することもできる。このリーダライタ１４はＩＣタグ１２のアンテナ用コイルパターン１２ａにより読み取られた間接副資材等又はその部品に係るＩＤコードや識別コードをホスト装置に伝達するための機器である。そして、該リーダライタ１４はＩＣタグ情報取得手段として、該ユーザー１０Ａが所有する現有情報機器からＩＣタグデータを取得し、該ＩＣタグデータを用いて例えば、間接副資材や工場用品の製品個体データベースつまり、安全データシート等の製品データや製造ルートを識別するロット番号、製造年月日データ等を検索することにより後述する受注企業、すなわち、販売代理店又は販売会社８Ａから間接副資材、生産材や工場用品又はその部品に関する種々な情報を得ることとする。
【００３５】
図１、図２に示す上記販売代理店又は販売会社若しくは小売店８のＡ社８Ａは例えば、間接副資材や工場用品又はその部品を発注元であるユーザー１０のＡ社１０Ａに納品するため及び発注状況をリアルタイムに検出するための自前の販売会社８の受注システム８１を備えている。そして、該販売会社８の受注システム８１は当該間接副資材１３や工場用品又はその部品の受注を受けるためのシステムであって、その受信信号を下に、ネットワーク９を介して、前記ユーザーＡ社１０Ａの発注システムにその旨を送信する。
【００３６】
また、上記販売代理店（販売会社）８Ａは上述したユーザー１０のＡ社１０Ａと同様にユーザー端末装置１０１、表示装置１０２、入力装置１０３及びリーダライタ１４、このリーダライタ１４に挿入されるＩＣカード１４Ａを備え、該リーダライタ１４はＩＣタグ情報取得手段として、該ユーザー１０Ａが所有する現有情報機器からＩＣタグデータを取得し、該ＩＣタグデータを用いて例えば、間接副資材や工場用品の上述した安全データシート等の製品データ等の製品個体データベースを検索することにより後述する受注企業、すなわち、販売代理店又は販売会社８Ａから間接副資材や工場用品又はその部品に関する種々な情報を得ることとする。
【００３７】
６は、前述したデータベースであり、特に本実施例では販売代理店又は販売会社８に備えた場合を例示する。６１は、間接副資材又は工場用品の商品履歴データベース、６２は、間接副資材又は工場用品の部品の商品履歴データベース、６３は、間接副資材又は工場用品の商品ランク付データ・商品選定判断基準データ若しくはいわゆる目利きデジタル化データ等を蓄積・加工処理したデータベースであり、上記販売会社８の受注システム８１に備えている。上記各データベース６１、６２及び６３は新規な間接副資材又はその部品や工場用品が新たに加わる場合や販売を廃止する場合等に対処し、常に新規加工又は解析し更にこれを最新のデータとして蓄積している。
【００３８】
従って、発注元のユーザー１０の各社は必要とする特殊な生産材、生産補助材、作業工具や雑工具等の間接副資材を受注企業としての販売代理店又は販売会社若しくは小売店８の各社にネットワーク９を利用して発注すれば、その発注通信信号が、販売会社８の受注システム８１等にリアルタイムに伝送されバイヤーすなわちユーザー１０が希望する所定の商品履歴や所定のランクを所持した間接副資材等を速やかに該販売代理店又は販売会社８のＡ社８Ａから納品を受けることとなる。
【００３９】
該ユーザー１０は図５に示すように当該間接副資材等をメーカー５（サプライヤー）から直接にいわゆる直販ルートａで納品を受け、また、メーカー５（サプライヤー）から卸売会社７及び／又は販売店（小売店）８を経るルートｂから納品を受ける形態がある。
また、上記販売会社の受注システム８１は各データベース６１ないし６３を含む構成は複数社で共用してもよく、全体を単一の受注システム及びＩＣタグ管理システムとして構築することもできる。
【００４０】
また、図４に示すように大規模総合商社（卸売会社）７のＡ社７Ａ例えば、「アズワン」等である場合、前記ユーザー１０のＡ社１０Ａ及び販売代理店（販売会社）８のＡ社８Ａと同様にユーザー端末装置１０１、表示装置１０２、入力装置１０３及びリーダライタ１４、このリーダライタ１４に挿入されるＩＣカード１４Ａを備え、該リーダライタ１４はＩＣタグ情報取得手段として、該ユーザー１０Ａが所有する現有情報機器からＩＣタグデータを取得し、該ＩＣタグデータを用いて例えば、間接副資材や工場用品の製品個体データベースを検索することにより後述する受注企業、すなわち、販売代理店又は販売会社８Ａから間接副資材１３や工場用品又はその部品に関する種々な情報を得ることとする。
【００４１】
１１はサーバーであり、間接副資材１３や工場用品又はその部品に関する種々な情報やデータを管理しており、ネットワーク９に接続されている。そして、図５に示すようにメーカー５と間接副資材１３や工場用品又はその部品に関する種々な情報の交信ｃを行ない、そのデータを保存管理する。該サーバー１１は、上記間接副資材や工場用品の電子認証手続を行うものであり、例えば、ＩＣタグ管理会社で構成してもよく、また、上記ユーザー１０、上記メーカー５、上記大規模総合商社（卸売会社）７、販売代理店８等に備え又は兼業してもよい。また、該サーバー１１はユーザー１０の要望により上記間接副資材１３や工場用品又はその部品に関する種々な情報のデータを交信ｄする。そして、ユーザー１０は例えば卸売会社７で加工・保存した上記商品のカタログデータを交信ｅする。同様に卸売会社７と販売店（小売店）８間及び販売店（小売店）８とユーザー１０間に於いても上記間接副資材１３や工場用品又はその部品に関する種々な情報に係るデータの交信ｆを行ない、リアルタイムに間接副資材１３や工場用品又はその部品に関する種々な情報の取出しや交信を実現する。
【００４２】
そして、該サーバー１１によって、登録されたＩＣタグ１２が貼付された間接副資材等１３が流通する際、該サーバー１１のデータベースには該間接副資材等１３のＩＤコードや識別コードが記憶される。そして、各ユー―ザー１０等に備えたユーザー端末装置１０１が操作され、該ユーザー端末装置１０１の認証を行なうためにブラウザ（パソコン）が起動されて上記ネットワーク９を介して上記サーバー１１へ接続が要求され、サーバー１１に於いて、これを認識すれば、上記ユーザー１０や上記大規模総合商社７又は上記販売代理店８等に備えたユーザー端末装置１０１のユーザーＩＤとパスワードを入力させるための信号が送信される。そして、上記ユーザー１０等は入力装置１０３により該ユーザーＩＤとパスワードを入力し、上記サーバー１１へ送信する。ここで、上記ユーザー１０や販売代理店８等に備えたリーダライタ１０４が市場に流通する間接副資材等１３のＩＤコードや識別コードを読み出し、ネットワーク９を介してサーバー１１が一元管理する。
【００４３】
１６は、決済サーバーであって、前記ネットワーク９に接続されており電子マネーデータベース等を備え、ユーザー１０又はメーカー５等の決済口座及びその名称等を登録し間接副資材に係る電子マネー決済を行なう。また、上記サーバー１１が決済サーバー１６の機能を兼備した構成としてもよい。
【００４４】
次に、本発明に係る間接副資材のデータ管理・電子認証及び決済システムの実施例の動作等を説明する。
【００４５】
当データ管理・電子認証及び決済システムは大概すれば、ネットワーク９を介して伝送されサプライヤー又はメーカー５と、ユーザー１０、大規模総合商社（卸売会社）７及び販売代理店（販売会社）８と、サーバー１１と、決済サーバー１６とを接続した構成となっており、このメーカー（サプライヤー）５、ユーザー１０、大規模総合商社（卸売会社）７及び販売代理店（販売会社）８は各ユーザー端末装置１０１、すなわち、ＷＷＷブラウザ（パソコン）を搭載している。そして、該ユーザー端末装置１０１がサーバー１１を示すＵＲＬ（Ｕｎｉｆｏｒｍ  Ｒｅｓｏｕｒｃｅ  Ｌｏｃａｔｏｒ）を指定してホームページの表示を要求すると、上記サーバー１１は電子認証手続を開始する。
ここで図６（ａ）は、前述した図４に於けるユーザー１０のＡ社１０Ａ、大規模総合商社（卸売会社）７のＡ社７Ａ及び販売代理店（販売会社）８のＡ社８Ａに備えたリーダライタ１４の外観構成図を示している。図６（ｂ）は、上記リーダライタ１４に挿入するＩＣカード１４Ａの内部構成を示している。図６（ｃ）は、上記ＩＣカード１４Ａの動作を示している。
【００４６】
上記リーダライタ１４は、携帯端末器（ＰＤＡ）で構成してもよく、その左平側面にはＩＣカード１４Ａの挿入口が配置してあり、これにＩＣカード１４Ａを挿入する。反対側側面には、ケーブル（図示せず）を接続するためのコネクタ１４１が配置されている。該リーダライタ１４の前面には表示パネル１４２、テンキー１４３、カーソルキー１４４等を備えている。さらに、カーソルキー１４４の上側には電源ボタン１４５、確定ボタン１４６を有している。
【００４７】
そして、図６（ｂ）に示すようにＩＣカード１４Ａは、内部バス１４７を介してＣＰＵ１４８、ＲＯＭ１４９、ＲＡＭ１５０等を接続した構成となっている。また、内部バス１４７は、端末インターフェース回路１５１を介して外部接触端子１５２に接続し、上記リーダライタ１４がＥＥＰＲＯＭ（Ｅｌｅｃｔｒｉａｌｌｙ  Ｅｒａｓａｂｌｅ  Ｐｒｏｇｒａｍｍａｂｌｅ  ＲＯＭ）１５３にアクセスできるように構成している。外部接触端子１５２は、リーダライタ１４から電圧の供給を受けるためのＶｃｃ端子、クロック信号を供給させるためのクロック端子及びグランド端子等から構成され、データ入出力信号端子を介してデータをやり取りする。
【００４８】
次に、図６（ｃ）に示すように、ユーザー１０はリーダライタ１４の電源ボタン１４５をオン動作する。そして、認証情報を格納したＩＣカード１４Ａを該リーダライタ１４に挿入する。表示パネル１４２にＵＲＬが表示され、アクセスしたいＵＲＬが表示されれば、確定ボタン１４６をオン動作させ、ケーブルを使用して該リーダライタ１４をユーザー端末装置１０１に接続すれば、該ユーザー端末装置１０１が指定されたＵＲＬにアクセスし、データを要求する（ステップ１）。そして、サーバー１１はＨＴＭＬ形式の文書を返信する。該ユーザー端末装置１０１のブラウザのＷｅｂ画面、つまり電子調達サイトは、要求に対するＨＴＭＬ形式の文書を受信する（ステップ２）。そして、当該ＨＴＭＬ形式の文書に従って、ＩＣカード１４Ａに認証情報を要求し（ステップ３）、該ＩＣカード１４Ａより認証情報を取得する（ステップ４）。而して、上記サーバー１１に認証情報を返信する（ステップ５）。該サーバー１１にて認証の結果、アクセスが許可されたら、ＨＴＭＬ形式の文書が送信されるのでこれを受信し、ユーザー１０のユーザー端末装置１０１の表示装置１０２で表示する（ステップ６）。かくして、間接副資材や工場用品等の電子認証手続が終了する。
【００４９】
そして、上記サーバー１１により証認を受けた決済サーバー１６は電子マネーデータベースから取出し、電子マネーを発行し、間接副資材等に電子マネー決済を行ない、その旨をユーザー１０に送出する。
【図面の簡単な説明】
【００５０】
【図１】本発明に係る間接副資材のデータ管理・電子認証及び決済システムの実施の形態の一部構成としての間接副資材のデータ管理システムを示す全体構成図である。
【図２】図１の具体的な内部構成を示すものであって、ユーザー及び販売代理店又は販売会社に備えたシステム内の構成要素を示す構成図である。
【図３】本発明に係る間接副資材のデータ管理・電子認証及び決済システムに使用するＩＣタグの実施例を示すものであって、（ａ）は間接副資材等に貼付けた状態を示す側面図、（ｂ）はＩＣタグを示す平面図である。
【図４】本発明に係る間接副資材のデータ管理・電子認証及び決済システムの実施例を示す構成図である。
【図５】本発明に係る間接副資材のデータ管理・電子認証及び決済システムに於ける商品販売ルート及び当該間接副資材に係る情報の交信概要図である。
【図６】図４に示すシステムに備えたリーダライタ及び電子認証手続を示す図面であって、（ａ）はリーダライタの外観構成図、（ｂ）はリーダライタに挿入するＩＣカードの内部構成図、（ｃ）は電子認証手続のフローチャートである。
【図７】従来の商品受発注システムの例を示す構成図である。
【符号の説明】
【００５１】
５      メーカー（サプライヤー）
５Ａ    メーカーＡ社
５Ｂ    メーカーＢ社
５Ｃ    メーカーＣ社
５Ｄ    メーカーＤ社
５Ｅ    メーカーＥ社
５Ｆ    メーカーＦ社
６      データベース
６１    間接副資材又は工場用品の商品履歴データベース
６２    間接副資材又は工場用品の部品の商品履歴データベース
６３    間接副資材又は工場用品の商品ランク付データ・商品選定判断基準データベース
７      大規模総合商社（卸売会社）
７Ａ    大規模総合商社（卸売会社）Ａ社
８      販売代理店（販売会社）
８Ａ    販売代理店（販売会社）Ａ社
８Ｂ    販売代理店（販売会社）Ｂ社
８Ｃ    販売代理店（販売会社）Ｃ社
８Ｄ    販売代理店（販売会社）Ｄ社
８１    販売会社の受注システム
９      ネットワーク
１０    ユーザー
１０Ａ  ユーザーＡ社
１０Ｂ  ユーザーＢ社
１０Ｃ  ユーザーＣ社
１０Ｄ  ユーザーＤ社
１０１  ユーザー端末装置
１０２  表示装置
１０３  入力装置
１０４  ＩＣリーダ
１１    サーバー
１２    ＩＣタグ
１２ａ  アンテナ用コイルパターン
１２ｂ  ＩＣチップ
１２ｃ  基材
１２ｄ  導通部材
１２ｅ  コイル接続端子
１３    間接副資材（工場用品）
１４    リーダライタ
１４Ａ  ＩＣカード
１４１  リーダライタのコネクタ
１４２  リーダライタの表示パネル
１４３  リーダライタのテンキー
１４４  リーダライタのカーソルキー
１４５  リーダライタの電源ボタン
１４６  リーダライタの確定ボタン
１４７  ＩＣカードの内部バス
１４８  ＩＣカードのＣＰＵ
１４９  ＩＣカードのＲＯＭ
１５０  ＩＣカードのＲＡＭ
１５１  ＩＣカードの端末インターフェース回路
１５２  ＩＣカードの外部接触端子
１５３  ＩＣカードのＥＥＰＲＯＭ
１６    決済サーバー
【図１】
2006092059.tif 000003
【図２】
2006092059.tif 000004
【図３】
2006092059.tif 000005
【図４】
2006092059.tif 000006
【図５】
2006092059.tif 000007
【図６】
2006092059.tif 000008
【図７】
2006092059.tif 000009